(57)【要約】      （修正有）【課題】薄板状の屋根材のガタツキを防止して、確実に取付けできる吊り子を提供する。【解決手段】屋根の下地Ｓ上に葺かれた薄板状の屋根材Ｙに取付ける吊り子Ａであって、前記吊り子Ａは、弾性材で形成された基板本体１と、その先端を断面略コ字状に上方に折り返した押え片２と、前記基板本体１の後端側に形成された取付孔３と、からなり、前記押え片２の下面には、前記屋根材Ｙを誘導するガイド傾斜面２１を形成すると共に、前記基板本体１の上面には、前記屋根材Ｙを押し上げる突部１１を形成してなる。【選択図】図２
2007009530.tif 000002
【特許請求の範囲】
【請求項１】
屋根の下地上に葺かれた薄板状の屋根材に取付ける吊り子であって、
前記吊り子は、弾性材で形成された基板本体と、その先端を断面略コ字状に上方に折り返した押え片と、前記基板本体の後端側に形成された取付孔と、からなり、
前記押え片の下面には、前記屋根材を誘導するガイド傾斜面を形成すると共に、前記基板本体の上面には、前記屋根材を押し上げる突部を形成してなる吊り子。
【請求項２】
請求項１において、
押え片のガイド傾斜面は、切り起こして形成された折曲片で形成してなる吊り子。
【請求項３】
請求項１において、
押え片のガイド傾斜面は、押え片の下方に向けて膨出させたリブで形成してなる吊り子。
【発明の詳細な説明】
【技術分野】
【０００１】
本発明は、屋根の下地上に葺かれる薄板状の屋根材に取付けるための吊り子に関する。
【背景技術】
【０００２】
一般に、家屋等の屋根には、屋根瓦が葺かれているが、近年では、屋根瓦の軽量化、デザイン化に伴って、薄板状の屋根材が開発されている（例えば、特許文献１参照。）。
【０００３】
そのため、最近では、このような薄板状の屋根材に取付ける吊り子も提案されている（例えば、特許文献２参照。）。
【０００４】
この薄板状の屋根材は、単なる平板のもの、波板状に形成したものなど、その種類は様々である。
【０００５】
図４は、従来の薄板状の屋根材に取付ける吊り子を示した使用状態の部分斜視図であり、  図５は、図４で示された要部を拡大した部分断面図である。
【０００６】
この吊り子１００は、金属板で形成された基板本体１０１と、その先端を断面略コ字状に上方に折り返した押え片１０２と、基板本体１０１の後端側に開設された取付孔１０３を備えてなる。また、押え片１０２の先端は、さらに内側に折り返した弾性部１１２を形成している。
【０００７】
そして、下地Ｓに葺かれた軒側の薄板状の屋根材２００の棟側端に、吊り子１００の後端を位置付けると共に、その取付孔１０３から釘、ネジ等の固定具１０４を貫通させて下地Ｓに固定して、軒側の薄板状の屋根材２００を下地Ｓに葺く。
【０００８】
そして更に、棟側の薄板状の屋根材３００を葺くには、この薄板状の屋根材３００の軒側端を、既に取付けた吊り子１００の押え片１０２に差し込めば、弾性部１１２に誘導されながら係止され、棟側の薄板状の屋根材３００を上記同様、下地Ｓに固定して、棟側の薄板状の屋根材３００を、軒側の薄板状の屋根材２００と一部重合した状態で下地Ｓ上に葺くのである。
【特許文献１】特開２００２−１６７９０８号
【特許文献２】実開平５−１６９４４号
【発明の開示】
【発明が解決しようとする課題】
【０００９】
しかしながら、従来の吊り子１００では、以下の問題がある。
【００１０】
すなわち、釘、ネジ等の固定具１０４には、頭部１１４が形成されているため、図５で示すように、この葺かれた棟側の薄板状の屋根材３００は、軒側端の上面を弾性部１１２で押えられると共に、棟側下面を頭部１１４に当接された、二点支持の状態で葺かれている。
【００１１】
そのため、葺かれた棟側の薄板状の屋根材３００が、風等によって撓むと、軒側端の上面は、弾性部１１２だけが点接触して押えるだけなので、その軒側端がガタツキを生じ易いという問題があった。
【００１２】
また、ＦＲＰ製屋根等の樹脂製屋根材等については、セメント系屋根材に比べて割れ難く、強度があり、その分板厚を薄く形成できる。しかし、割れ難くなった屋根材は、局部にかかる荷重に対し、撓みが生じ易く、吊り子で係止する部分が、特に撓み易かった。
【００１３】
本発明は、かかる課題を解決することを目的とするもので、薄板状の屋根材のガタツキを防止して、確実に取付けできる吊り子を提供する。
【課題を解決するための手段】
【００１４】
上記目的を達成するため、
請求項１に係る吊り子は、屋根の下地上に葺かれた薄板状の屋根材に取付ける吊り子であって、前記吊り子は、弾性材で形成された基板本体と、その先端を断面略コ字状に上方に折り返した押え片と、前記基板本体の後端側に形成された取付孔と、からなり、前記押え片の下面には、前記屋根材を誘導するガイド傾斜面を形成すると共に、前記基板本体の上面には、前記屋根材を押し上げる突部を形成してなる。
【００１５】
請求項２に係る吊り子は、請求項１において、押え片のガイド傾斜面は、切り起こして形成された折曲片で形成してなる。
【００１６】
請求項３に係る吊り子は、請求項１において、押え片のガイド傾斜面は、押え片の下方に向けて膨出させたリブで形成してなる。
【発明の効果】
【００１７】
本発明によれば、次のような効果がある。
請求項１に係る吊り子によれば、押え片の下面には、屋根材を誘導するガイド傾斜面を形成すると共に、基板本体を弾性材で形成し、しかも基板本体の上面には、屋根材を押し上げる突部を形成してなるので、押え片に差し込まれる薄板状の屋根材は、その軒側端を全体が弾性材で挟まれた状態で支持されると共に、その下面が、前記突部及び頭部に接合された、三点支持の状態で葺かれる。
【００１８】
そのため、葺かれた棟側の薄板状の屋根材が、風等によって荷重を受け、その軒側端が撓もうとしても、全体の弾性作用によって支持しているので、棟側の薄板状の屋根材の軒端が下方に撓んでガタツキを生じることを確実に防止できる。
【００１９】
請求項２に係る吊り子によれば、ガイド傾斜面は、切り起こして形成された折曲片で形成してなるので、簡単に形成できる。
【００２０】
請求項３に係る吊り子によれば、請求項１において、押え片のガイド傾斜面は、押え片の下方に向けて膨出させたリブで形成してなるので、押え片の強度を高めることができる。
【発明を実施するための最良の形態】
【００２１】
以下、本発明に係る吊り子Ａを図面とともに説明する。
【実施例１】
【００２２】
図１は、本発明に係る吊り子を示した使用状態の部分斜視図であり、図２は、図１で示された要部を拡大した部分断面図である。
【００２３】
この吊り子Ａは、屋根の下地Ｓ上に葺かれたＦＲＰ製屋根等の樹脂製屋根材、その他の薄板状の屋根材Ｙに取付けるものであって、弾性材で形成された基板本体１と、その先端を断面略コ字状に上方に折り返した押え片２と、基板本体１の後端側に形成された取付孔３とを備え、この押え片２の下面には、屋根材Ｙを誘導するガイド傾斜面２１を形成すると共に、基板本体１の上面には、屋根材Ｙを押し上げる突部１１を形成してなる。
【００２４】
本実施例で示す吊り子Aは、基板本体１と押え片２が一体形成されてなるもので、例えば、弾性のある板バネ片を折り曲げて形成してなる。
【００２５】
また、基板本体１を平板でなく、その全体を湾曲させて形成すれば、より弾性力を高めることができるので望ましい。
【００２６】
押え片２の開放端は、僅かに外方に向けて拡開された傾斜面に形成され、薄板状の屋根材Ｙを容易に挿入することができる。
【００２７】
この押え片２の下面には、下方に向けて突出されたガイド傾斜面２１を形成しており、このガイド傾斜面２１は、押え片２内に挿入されてきた薄板状の屋根材Ｙが、そのまま奥まで挿入できるように誘導している。
【００２８】
ガイド傾斜面２１は、下方に向けて突出されていれば良く、図１では、下方に向けて膨出させて突条を形成しているが、これ以外にも例えば、押え片２の一部を下方に向けて切り起こして形成された折曲片（不図示）で形成しても良く、このような切り起こされた折
曲片（不図示）で形成すれば、押え片２と同じく切り込みを入れて折り曲げるだけで、簡単に形成できる。
【００２９】
一方、このガイド傾斜面２１と対向する基板本体１の上面には、屋根材Ｙを押し上げる突部１１を形成してなる。
【００３０】
ここでの突部１１は、基板本体１の一部を上方に向けて膨出させて形成しているが、これ以外にも例えば、上記同様、基板本体１を切り起こして突部１１を形成することも可能である。
【００３１】
このように構成した本発明の吊り子Ａは、以下の要領で使用する。
【００３２】
先ず、下地Ｓに葺かれた軒側の薄板状の屋根材Ｙの棟側端に、吊り子Ａの後端を位置付けると共に、その取付孔３から釘、ネジ等の固定具４を貫通させて下地Ｓに固定して、軒側の薄板状の屋根材Ａを下地Ｓに葺く。
【００３３】
そして更に、棟側の薄板状の屋根材Ｙ１を葺くには、この薄板状の屋根材Ｙ１の軒側端を、既に取付けた吊り子Ａの押え片２に差し込めば、ガイド傾斜面２１に誘導されながら奥へと挿入され、このガイド傾斜面２１と突部１１との間に挟持して係止される。
【００３４】
そして、棟側の薄板状の屋根材Ｙ１を上記同様、下地Ｓに固定して、棟側の薄板状の屋根材Ｙ１を、軒側の薄板状の屋根材Ｙと一部重合した状態で下地Ｓ上に葺くのである。
【００３５】
以上、説明した通り、本発明に係る吊り子Ａによれば、押え片２の下面には、屋根材Ｙを誘導するガイド傾斜面２１を形成すると共に、基板本体１の上面には、屋根材Ｙを押し上げる突部１１を形成してなるので、押え片２に差し込まれる薄板状の屋根材Ｙ１は、その軒側端の上面をガイド傾斜面２１で押えられると共に、その下面が、突部１１及び固定具４の頭部４１に当接された、三点支持の状態で葺かれる。
【００３６】
そのため、葺かれた棟側の薄板状の屋根材Ｙ１が、風等によって荷重を受け、その軒側端が撓もうとしても、全体の弾性作用によって支持しているので、棟側の薄板状の屋根材Ｙ１の軒側端が下方に撓んでガタツキを生じることを確実に防止できる。
【実施例２】
【００３７】
図 ３（ａ），（ｂ）は、本発明に係る吊り子の他の実施例を示す斜視図及び断面図である。
【００３８】
なお、図１、２と共通する部位には同番号を付し、ここでは、本実施例の特徴についてのみ説明する。
【００３９】
この吊り子Ａは、ガイド傾斜面２１と突部１１とが一体的に形成されており、具体的には、基板本体１の上面から押え片２の下面にかけて、内方に向けてリブ５を形成したものである。なお、ここでのリブ５は、基板本体１の上面から押え片２の下面にかけて、平行な２条を形成したものであるが、１条又は３条以上であっても構わない。
【００４０】
このようなリブ５によって、ガイド傾斜面２１及び突部１１を形成すれば、上記効果に加え、押え片２及び基板本体１の全体の強度を高めることができる。
【図面の簡単な説明】
【００４１】
【図１】図１は、本発明に係る吊り子を示した使用状態の部分斜視図である。
【図２】図１で示された要部を拡大した部分断面図である。
【図３】（ａ），（ｂ）は、本発明に係る吊り子の他の実施例を示す斜視図及び断面図である。
【図４】従来の薄板状の屋根材に取付ける吊り子を示した使用状態の部分斜視図である。
【図５】図４で示された要部を拡大した部分断面図である。
【符号の説明】
【００４２】
Ａ      吊り子
Ｙ      薄板状の屋根材
Ｓ      下地
１      基板
１１    突部
２      押え片
２１    ガイド傾斜面
３      取付孔
４      固定具
５      リブ
【図１】
2007009530.tif 000003
【図２】
2007009530.tif 000004
【図３】
2007009530.tif 000005
【図４】
2007009530.tif 000006
【図５】
2007009530.tif 000007